(57)【特許請求の範囲】
【請求項１】
水処理組成物であって、該水処理組成物は、
複合体粒子であって、各複合体粒子は、ホスフェート除去物質、ポリマー凝集剤およびペプシンを含む、複合体粒子
を含み、ここで、該複合体粒子は自由流動性の顆粒状の固体の化学的に均質な粒子であり、そして該ホスフェート除去物質、ポリマー凝集剤およびペプシンは該複合体粒子内で相互に結合され、
該ホスフェート除去物質は、ジルコニウム化合物、希土類ランタニド塩、アルミニウム化合物、鉄化合物、またはそれらの任意の組み合わせから選択される、
水処理組成物。
【請求項２】
請求項１に記載の水処理組成物であって、ここで、前記複合体粒子は結晶構造を有する、水処理組成物。
【請求項３】
請求項１に記載の水処理組成物であって、ここで、前記複合体粒子は水溶性である、水処理組成物。
【請求項４】
請求項１に記載の水処理組成物であって、ここで、前記複合体粒子は密封された水溶性パウチ中に格納される、水処理組成物。
【請求項５】
請求項４に記載の水処理組成物であって、ここで、前記密封された水溶性パウチは加水分解されたポリビニルアルコールまたはセルロースをベースにした材料である、水処理組成物。
【請求項６】
請求項１に記載の水処理組成物であって、ここで、前記ホスフェート除去物質は、酢酸ジルコニウム、硫酸ジルコニウム、オキシ塩化ジルコニウム、塩基性硫酸ジルコニウム、およびそれらの様々な組み合わせから選択される、水処理組成物。
【請求項７】
請求項１に記載の水処理組成物であって、ここで、前記ホスフェート除去物質は塩化ランタンまたは硫酸ランタンである、水処理組成物。
【請求項８】
請求項１に記載の水処理組成物であって、ここで、前記ホスフェート除去物質は、硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせから選択される、水処理組成物。
【請求項９】
請求項１に記載の水処理組成物であって、ここで、前記ホスフェート除去物質は、酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせから選択される、水処理組成物。
【請求項１０】
請求項１に記載の水処理組成物であって、ここで、前記ポリマー凝集剤は、合成ポリマー、天然生体ポリマー多糖類、誘導体化天然生体ポリマー多糖類、またはそれらの任意の組み合わせから選択される、水処理組成物。
【請求項１１】
請求項１に記載の水処理組成物であって、ここで、前記ポリマー凝集剤は、ポリアクリルアミド、ポリアクリルアミドコポリマー、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される、水処理組成物。
【請求項１２】
請求項１に記載の水処理組成物であって、ここで、前記ポリマー凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせから選択される、水処理組成物。
【請求項１３】
請求項１に記載の水処理組成物であって、ここで、前記ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される、水処理組成物。
【請求項１４】
請求項１に記載の水処理組成物であって、ここで、前記ホスフェート除去物質は、酢酸ジルコニウムであり、前記ポリマー凝集剤はキトサン塩である、水処理組成物。
【請求項１５】
請求項１に記載の水処理組成物であって、ここで、前記ホスフェート除去物質は塩化ランタンであり、そして前記ポリマー凝集剤はキトサン塩である、水処理組成物。
【請求項１６】
前記複合体粒子は、さらに殺藻剤を含む、請求項１に記載の水処理組成物。
【請求項１７】
水性の水体を処理する方法であって、請求項１に記載の水処理組成物を該水体に添加することを包含する、方法。
【請求項１８】
水処理組成物であって、該水処理組成物は、
複合体粒子であって、各複合体粒子は、ホスフェート除去物質、キトサンポリマーおよびペプシンを含む、複合体粒子
を含み、ここで、該複合体粒子は自由流動性の固体の顆粒状の化学的に均質な粒子であり、そして該ホスフェート除去物質、キトサンポリマーおよびペプシンは該複合体粒子内で相互に結合され、
該ホスフェート除去物質は、ジルコニウム化合物、希土類ランタニド塩、アルミニウム化合物、鉄化合物、またはそれらの任意の組み合わせから選択される、
水処理組成物。
【請求項１９】
水処理組成物であって、該水処理組成物は、
水溶性パウチ中に格納された複合体粒子であって、各複合体粒子は、ホスフェート除去物質、ポリマー凝集剤およびペプシンを含む、複合体粒子
を含み、ここで、該複合体粒子は自由流動性の顆粒状の固体の化学的に均質な粒子であり、そして該ホスフェート除去物質、ポリマー凝集剤およびペプシンは該複合体粒子内で相互に結合され、
該ホスフェート除去物質は、ジルコニウム化合物、希土類ランタニド塩、アルミニウム化合物、鉄化合物、またはそれらの任意の組み合わせから選択される、
水処理組成物。
【発明の詳細な説明】
【技術分野】
【０００１】
関連する出願の相互参照
本出願は２０１２年１１月１日に出願された米国仮出願第６１／７２１，１８２号、および２０１２年１１月２６日に出願された米国仮出願第６１／７２９，９５０号の利益を主張し、両方の開示は明示的に本明細書において参考として援用される。
【背景技術】
【０００２】
背景
水からの不純物の除去は、典型的に大量の化学物質の水への直接の投入を伴う。漏出および露出した皮膚との接触の可能性があるため、大量の化学物質の使用は危険である。手動で行われる化学物質の投入は、不正確および乱雑になり得る。加えて、大量の化学物質の容器は運搬するのに重くなることがあり、それによって重量物の持ち上げに伴う怪我をもたらし得る。
【発明の概要】
【課題を解決するための手段】
【０００３】
概要
本発明の実施態様は水処理組成物、および水溶性パウチに密封された前計量済みの処理化合物の使用によるレクリエーション水（例えば、水泳プール、風呂／温泉、およびウォーターパーク）を含む水性の水体を処理する方法に関連する。
【０００４】
藻類の成長に必要な１つ以上の栄養物（例えば、ホスフェート）の除去は、本質的に藻類が成長に利用できないようになる不溶性の反応生成物を形成する化学製品および物質を加えることによって達成され得る。不溶性の反応生成物はまた、ろ過によって水体から除去することも可能である。水体、特にレクリエーション水は懸濁された有機物および他の化学成分を含有し、それによって水の混濁、およびプールもしくは格納装置の壁に沿った滓の蓄積がもたらされる。凝集、酵素切断およびろ過によるこの懸濁された物の除去が開示される。これはポリマー凝集剤および切断酵素の使用によって達成され得る。ホスフェート除去剤、ポリマー凝集剤および酵素は、典型的にはこれらの化学製品を含有する液体製品である。複数の化学製品の添加は時間がかかり、不便で不経済であるばかりか、複数回の使用によりボトルの外側を汚染する濃縮された液体化学製品にエンドユーザーを曝露する。パッケージングされ、水溶性パウチまたはポッド中に格納される乾燥固体形態の、前計量済みであって１回投入分の量の化学製品または物質が所望され、それによってエンドユーザーは一度の簡便な１回投入の適用によって栄養物除去、透明化および滓切断の複数の目標を、濃縮された処理化学製品への最小限の直接の接触で実現できる。
【０００５】
いくつかの実施態様は、ホスフェート除去物質および高分子凝集剤から構成される複合体を含む水処理組成物であって、ここで、複合体は自由流動性顆粒状固体を含み、そしてホスフェート除去物質およびポリマー凝集剤は顆粒状固体中で相互に結合される、水処理組成物に関連する。
【０００６】
いくつかの実施態様では、複合体は結晶構造を有する。
【０００７】
いくつかの実施態様では、複合体はさらに酵素を含む。
【０００８】
いくつかの実施態様では、複合体は水溶性である。
【０００９】
いくつかの実施態様では、複合体は密封された水溶性パウチ中に格納される。
【００１０】
いくつかの実施態様では、パウチは加水分解されたポリビニルアルコールまたはセルロースをベースにした材料である。
【００１１】
いくつかの実施態様では、ホスフェート除去物質は、ジルコニウム化合物、希土類ランタニド塩、アルミニウム含有化合物、鉄化合物、またはそれらの任意の組み合わせから選択される。
【００１２】
いくつかの実施態様では、ホスフェート除去物質は、酢酸ジルコニウム、硫酸ジルコニウム、オキシ塩化ジルコニウム、塩基性硫酸ジルコニウム、およびそれらの様々な組み合わせから選択される。
【００１３】
いくつかの実施態様では、ホスフェート除去物質は、塩化ランタン、炭酸ランタン、または硫酸ランタンである。
【００１４】
いくつかの実施態様では、ホスフェート除去物質は、硫酸アルミニウム、塩化アルミニウム、ポリ塩化アルミニウム、アルミニウムクロロハイドレート、ポリ水酸化硫酸アルミニウム（ｐｏｌｙａｌｕｍｉｎｕｍ  ｈｙｄｒｏｘｉｄｅ  ｓｕｌｆａｔｅ）、ポリ硫酸塩化アルミニウム（ｐｏｌｙａｌｕｍｉｎｕｍ  ｓｕｌｆａｔｅ  ｃｈｌｏｒｉｄｅ）、ポリケイ酸塩化アルミニウム（ｐｏｌｙａｌｕｍｉｎｕｍ  ｓｉｌｉｃａｔｅ  ｃｈｌｏｒｉｄｅ）、およびそれらの様々な組み合わせから選択される。
【００１５】
いくつかの実施態様では、ホスフェート除去物質は、酸化鉄、酸化鉄水酸化物、ゼロ価鉄、水酸化第二鉄、硫酸第二鉄、塩化第二鉄、塩化硫酸第二鉄（ｆｅｒｒｉｃ  ｃｈｌｏｒｉｄｅ  ｓｕｌｆａｔｅ）、ポリ硫酸第二鉄（ｐｏｌｙｆｅｒｒｉｃ  ｓｕｌｆａｔｅ）、硫酸第一鉄、およびそれらの様々な組み合わせから選択される。
【００１６】
いくつかの実施態様では、ホスフェート除去物質はシリカ化合物（例えば、シリカスルフェート、好ましくはメソポーラスシリカスルフェート）から選択される。
【００１７】
いくつかの実施態様では、ポリマー凝集剤は、合成ポリマー、天然生体ポリマー多糖類、誘導体化天然生体ポリマー多糖類、またはそれらの任意の組み合わせから選択される。
【００１８】
いくつかの実施態様では、ポリマー凝集剤は、ポリアクリルアミド、ポリアクリルアミドコポリマー（例えば、ジアリルジメチルアンモニウムクロリド（ｄｉａｌｌｙｄｉｍｅｔｈｙｌａｍｍｏｎｉｕｍ  ｃｈｌｏｒｉｄｅ）（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー）；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される。
【００１９】
いくつかの実施態様では、ポリマー凝集剤は、酢酸キトサン（ｃｈｉｔｏｓａｎ  ａｃｅｔａｔｅ）、乳酸キトサン（ｃｈｉｔｏｓａｎ  ｌａｃｔａｔｅ）、アジピン酸キトサン（ｃｈｉｔｏｓａｎ  ａｄｉｐａｔｅ）、グルタミン酸キトサン（ｃｈｉｔｏｓａｎ  ｇｌｕｔａｍａｔｅ）、コハク酸キトサン（ｃｈｉｔｏｓａｎ  ｓｕｃｃｉｎａｔｅ）、リンゴ酸キトサン（ｃｈｉｔｏｓａｎ  ｍａｌａｔｅ）、クエン酸キトサン（ｃｈｉｔｏｓａｎ  ｃｉｔｒａｔｅ）、フマル酸キトサン（ｃｈｉｔｏｓａｎ  ｆｕｍａｒａｔｅ）、塩酸キトサン（ｃｈｉｔｏｓａｎ  ｈｙｄｒｏｃｈｌｏｒｉｄｅ）等、およびそれらの様々な組み合わせから選択される。
【００２０】
いくつかの実施態様では、ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される。
【００２１】
いくつかの実施態様では、酵素は、アミラーゼ、セルラーゼ、プロテアーゼ、リパーゼ、ホスファターゼ、ペルオキシダーゼ、ペクチナーゼ、ペプシン、またはそれらの任意の組み合わせから選択される。
【００２２】
いくつかの実施態様では、ホスフェート除去物質は酢酸ジルコニウムであり、ポリマー凝集剤はキトサン塩であり、そして複合体はさらにペプシン酵素を含み、ここで、ホスフェート除去物質、ポリマー凝集剤、および酵素は顆粒状固体内で相互に結合される。
【００２３】
いくつかの実施態様では、ホスフェート除去物質は塩化ランタンであり、ポリマー凝集剤はキトサン塩であり、そして複合体はさらにペプシン酵素を含み、ここで、ホスフェート除去物質、ポリマー凝集剤、および酵素は顆粒状固体内で相互に結合される。
【００２４】
いくつかの実施態様では、水処理組成物はさらに殺藻剤を含む。
【００２５】
いくつかの実施態様では、水処理組成物はさらに金属または金属キレート剤を含む。
【００２６】
いくつかの実施態様は、請求項１に記載の水処理組成物を水体に添加することを包含する、水性の水体を処理する方法に関連する。
【００２７】
いくつかの実施態様では水体は塩素処理される。
【００２８】
いくつかの実施態様では、方法はさらに水処理組成物をスキマーに加えることを含む。
【００２９】
いくつかの実施態様では、水体はビグアニド消毒剤を含有する。
本発明の実施形態において、例えば以下の項目が提供される。
（項目１）
水処理組成物であって：
ホスフェート除去物質およびポリマー凝集剤から構成される複合体を含み、
ここで、該複合体は自由流動性顆粒状固体を含み、そして該ホスフェート除去物質およびポリマー凝集剤は相互に結合される、
水処理組成物。
（項目２）
項目１に記載の水処理組成物であって、ここで、前記複合体は結晶構造を有する、水処理組成物。
（項目３）
項目１に記載の水処理組成物であって、ここで、前記複合体はさらに酵素を含む、水処理組成物。
（項目４）
項目１に記載の水処理組成物であって、ここで、前記複合体は水溶性である、水処理組成物。
（項目５）
項目１に記載の水処理組成物であって、ここで、前記複合体は密封された水溶性パウチ中に格納される、水処理組成物。
（項目６）
項目５に記載の水処理組成物であって、ここで、前記パウチは加水分解されたポリビニルアルコールまたはセルロースをベースにした材料である、水処理組成物。
（項目７）
項目１に記載の水処理組成物であって、ここで、前記ホスフェート除去物質は、ジルコニウム化合物、希土類ランタニド塩、アルミニウム化合物、鉄化合物、またはそれらの任意の組み合わせから選択される、水処理組成物。
（項目８）
項目１に記載の水処理組成物であって、ここで、前記ホスフェート除去物質は、酢酸ジルコニウム、硫酸ジルコニウム、オキシ塩化ジルコニウム、塩基性硫酸ジルコニウム、およびそれらの様々な組み合わせから選択される、水処理組成物。
（項目９）
項目１に記載の水処理組成物であって、ここで、前記ホスフェート除去物質は塩化ランタンまたは硫酸ランタンである、水処理組成物。
（項目１０）
項目１に記載の水処理組成物であって、ここで、前記ホスフェート除去物質は、硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせから選択される、水処理組成物。
（項目１１）
項目１に記載の水処理組成物であって、ここで、前記ホスフェート除去物質は、酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせから選択される、水処理組成物。
（項目１２）
項目１に記載の水処理組成物であって、ここで、前記ポリマー凝集剤は、合成ポリマー、天然生体ポリマー多糖類、誘導体化天然生体ポリマー多糖類、またはそれらの任意の組み合わせから選択される、水処理組成物。
（項目１３）
項目１に記載の水処理組成物であって、ここで、前記ポリマー凝集剤は、ポリアクリルアミド、ポリアクリルアミドコポリマー（例えば、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー）；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される、水処理組成物。
（項目１４）
項目１に記載の水処理組成物であって、ここで、前記ポリマー凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせから選択される、水処理組成物。
（項目１５）
項目１に記載の水処理組成物であって、ここで、前記ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される、水処理組成物。
（項目１６）
項目３に記載の水処理組成物であって、ここで、前記酵素は、アミラーゼ、セルラーゼ、プロテアーゼ、リパーゼ、ホスファターゼ、ペルオキシダーゼ、ペクチナーゼ、ペプシン、またはそれらの任意の組み合わせから選択される、水処理組成物。
（項目１７）
項目１に記載の水処理組成物であって、ここで、前記ホスフェート除去物質は、酢酸ジルコニウムであり、前記ポリマー凝集剤はキトサン塩であり、そして前記複合体はさらにペプシン酵素を含み、ここで、該ホスフェート除去物質、該ポリマー凝集剤、および該酵素は相互に結合される、水処理組成物。
（項目１８）
項目１に記載の水処理組成物であって、ここで、前記ホスフェート除去物質は塩化ランタンであり、そして前記ポリマー凝集剤はキトサン塩であり、そして前記複合体はさらにペプシン酵素を含み、ここで、該ホスフェート除去物質、該ポリマー凝集剤、および該酵素は相互に結合される、水処理組成物。
（項目１９）
さらに殺藻剤を含む、項目１に記載の水処理組成物。
（項目２０）
水性の水体を処理する方法であって、項目１に記載の水処理組成物を該水体に添加することを包含する、方法。
（項目２１）
項目２０に記載の方法であって、ここで、前記水体は塩素処理される、方法。
（項目２２）
さらに前記水処理組成物をスキマー内に配置することを包含する、項目２０に記載の方法。
【図面の簡単な説明】
【００３０】
図面の説明
上述の局面および本発明の付随する利点の多くは、下記の詳細な説明を参考にすることで付随する図面と併せて解釈された場合によりよく理解されるようになるため、上述の局面および本発明の多数の付随する利点はより容易に認識されるようになる：
【図１】図１は、水処理化合物を格納するパウチ（またはポッド）を含む水処理組成物の図表的例示である；
【図２】図２は、複合体結晶の写真である；
【図３】図３は、拡大した複合体結晶の写真である；
【図４】図４は、ホスフェート除去剤、ポリマー凝集剤、および酵素の複合体（左）、ならびにキトサン塩ポリマー凝集剤（右）を格納する密封された水溶性パウチの写真である；
【図５Ａ】図５Ａ、５Ｂ、５Ｃ、５Ｄ、５Ｅ、および５Ｆは水溶性パウチの溶解を実証するために様々な段階で撮影された写真である；
【図５Ｂ】図５Ａ、５Ｂ、５Ｃ、５Ｄ、５Ｅ、および５Ｆは水溶性パウチの溶解を実証するために様々な段階で撮影された写真である；
【図５Ｃ】図５Ａ、５Ｂ、５Ｃ、５Ｄ、５Ｅ、および５Ｆは水溶性パウチの溶解を実証するために様々な段階で撮影された写真である；
【図５Ｄ】図５Ａ、５Ｂ、５Ｃ、５Ｄ、５Ｅ、および５Ｆは水溶性パウチの溶解を実証するために様々な段階で撮影された写真である；
【図５Ｅ】図５Ａ、５Ｂ、５Ｃ、５Ｄ、５Ｅ、および５Ｆは水溶性パウチの溶解を実証するために様々な段階で撮影された写真である；
【図５Ｆ】図５Ａ、５Ｂ、５Ｃ、５Ｄ、５Ｅ、および５Ｆは水溶性パウチの溶解を実証するために様々な段階で撮影された写真である；
【図６】図６は、水泳プール水内に存在する日焼け止め／サンスクリーンの懸濁された不溶物を凝集させる溶解した複合体を対照サンプルと比較した写真である；
【図７】図７は溶解したポリマー凝集剤によるベントナイト粘土懸濁液の凝集の写真である；
【図８Ａ】図８Ａ、８Ｂ、８Ｃ、および８Ｄはポリマー凝集剤を格納する溶解したパウチ／ポッドの凝集活性を示す写真である；
【図８Ｂ】図８Ａ、８Ｂ、８Ｃ、および８Ｄはポリマー凝集剤を格納する溶解したパウチ／ポッドの凝集活性を示す写真である；
【図８Ｃ】図８Ａ、８Ｂ、８Ｃ、および８Ｄはポリマー凝集剤を格納する溶解したパウチ／ポッドの凝集活性を示す写真である；
【図８Ｄ】図８Ａ、８Ｂ、８Ｃ、および８Ｄはポリマー凝集剤を格納する溶解したパウチ／ポッドの凝集活性を示す写真である；そして
【図９Ａ】図９Ａ、９Ｂ、および９Ｃはホスフェート除去物質、ポリマー凝集剤、および酵素を格納する溶解したパウチ／ポッドの凝集活性を示す写真である。
【図９Ｂ】図９Ａ、９Ｂ、および９Ｃはホスフェート除去物質、ポリマー凝集剤、および酵素を格納する溶解したパウチ／ポッドの凝集活性を示す写真である。
【図９Ｃ】図９Ａ、９Ｂ、および９Ｃはホスフェート除去物質、ポリマー凝集剤、および酵素を格納する溶解したパウチ／ポッドの凝集活性を示す写真である。
【発明を実施するための形態】
【００３１】
詳細な説明
本発明の実施態様は水処理組成物に関連する。図１に関して、水処理組成物１００の図表的例示が図示されている。水処理組成物１００の実施態様は、密封パウチ１０２に成形された水溶性フィルムを含む。パウチ１０２は、水溶性フィルム（下記で説明される）の１枚の切片を取得し、中央でフィルムを折りたたみ、化合物を加え、そして次に３辺でフィルムを密封することによって成形することができる。あるいは、フィルムの２枚の同様の切片を取得することができ、パウチに成形し、そして次に全ての４辺を密封することができる。パウチ１０２はまた、図示された長方形以外の他の形状に作製することも可能である。パウチの内容物１０４は以下のホスフェート除去物質、ポリマー凝集剤、または酵素のうちの少なくとも１つを含み、それらは下記で説明される。パウチ１０２は、ホスフェート除去物質、ポリマー凝集剤、または酵素のうちの２つ以上の任意の組み合わせを含み得る。パウチ１０２、ホスフェート除去物質（またはホスフェート除去剤）、ポリマー凝集剤、および酵素はさらに下記で説明される。
【００３２】
本発明のいくつかの実施態様は、ホスフェート除去剤、ポリマー凝集剤および酵素から構成される複合体配合物を含む水処理組成物を包含する。図２はホスフェート除去剤、ポリマー凝集剤、および酵素から作製された複合体の写真である。図３は複合体の拡大された写真である。図面において見られるように、複合体は顆粒状固体結晶を有し、ここで結晶のそれぞれはホスフェート除去剤、ポリマー凝集剤、および酵素を結晶中に含有する。ホスフェート除去物質、ポリマー凝集剤、および酵素の分量は意図される用途に適するように調整することができる。
【００３３】
本明細書で使用される「複合体」は、それぞれの構成要素が物理的に分離している混合体とは反対に、相互に結合される２つ以上の構成要素の材料を意味して用いられる。構成要素の複合体は、イオン的に、共有結合的に、または他の分子間力によって結合し得る。複合体は、結晶構造として、または非結晶性構造として存在し得る。化学力によって一緒に保持される、電荷を帯びたまたは中性の分子または原子を、複合体は含み得る。
【００３４】
本発明のいくつかの実施態様は、ホスフェート除去剤、ポリマー凝集剤、および酵素から構成される前計量済みの分量の複合体配合物を格納する密封された水溶性パウチ／ポッドを水に添加することを包含する水を処理する方法もまた包含する。
【００３５】
本発明の１つの実施態様は、ホスフェート除去物質、ポリマー凝集剤、および酵素から構成される自由流動性顆粒状固体複合体を含む水処理組成物であって、ここで該複合体は水に可溶性である、水処理組成物である。
【００３６】
本発明の他の実施態様は、ホスフェート除去物質、ポリマー凝集剤、および酵素から構成される自由流動性顆粒状固体複合体を含む水処理組成物を水性の水体に添加することを包含する水性の水体を処理する方法であって、ここで該複合体は水性の水体中に可溶性である、方法である。
【００３７】
本発明の他の実施態様は、ホスフェート除去物質、ポリマー凝集剤、および酵素から構成される前計量済みの分量の自由流動性顆粒状固体複合体を含む水処理組成物であって、ここで該複合体は水に可溶性であって、そして密封された水溶性パウチに格納される、水処理組成物である。
【００３８】
本発明の他の実施態様は、ホスフェート除去物質、ポリマー凝集剤、および酵素から構成される前計量済みの分量の自由流動性顆粒状固体複合体を含む水処理組成物を格納する密封された水溶性パウチを水に添加することを包含する水性の水体を処理する方法であって、ここで該複合体は水性の水体中に可溶性である、方法である。
【００３９】
本発明の他の実施態様は、ホスフェート除去物質およびポリマー凝集剤から構成される自由流動性顆粒状固体複合体から構成される水処理組成物であって、ここで該複合体は水に可溶性である、水処理組成物である。
【００４０】
本発明の他の実施態様は、ホスフェート除去物質およびポリマー凝集剤から構成される自由流動性顆粒状固体複合体を含む水処理組成物を水性の水体に添加することを包含する水性の水体を処理する方法であって、ここで該複合体は水性の水体中に可溶性である、方法である。
【００４１】
本発明の他の実施態様は、ホスフェート除去物質およびポリマー凝集剤から構成される前計量済みの分量の自由流動性顆粒状固体複合体を含む水処理組成物であって、ここで該複合体は水に可溶性であって、そして密封された水溶性パウチに格納される、水処理組成物である。
【００４２】
本発明の他の実施態様は、ホスフェート除去物質およびポリマー凝集剤から構成される前計量済みの分量の自由流動性顆粒状固体複合体を含む水処理組成物を格納する密封された水溶性パウチを水に添加することを包含する水性の水体を処理する方法であって、ここで該複合体は水性の水体中に可溶性である、方法である。
【００４３】
本発明の他の実施態様は、密封された水溶性パウチ中に格納されるホスフェート除去物質、ポリマー凝集剤、および酵素の前計量済みの分量の自由流動性顆粒状固体混合物を含む水処理組成物である。
【００４４】
本発明の他の実施態様は、ホスフェート除去物質、ポリマー凝集剤、および酵素から構成される前計量済みの分量の自由流動性顆粒状固体混合物を格納する密封された水溶性パウチを水に添加することを包含する水性の水体を処理する方法である。
【００４５】
本発明の他の実施態様は、密封された水溶性パウチ中に格納されるホスフェート除去物質およびポリマー凝集剤から構成される前計量済みの分量の自由流動性顆粒状固体混合物を含む水処理組成物である。
【００４６】
本発明の他の実施態様は、ホスフェート除去物質およびポリマー凝集剤から構成される前計量済みの分量の自由流動性顆粒状固体混合物を格納する密封された水溶性パウチを水に添加することを包含する水性の水体を処理する方法である。
【００４７】
本発明の他の実施態様は、密封された水溶性パウチ中に格納される前計量済みの分量の自由流動性顆粒状固体のポリマー凝集剤を含む水処理組成物である。
【００４８】
本発明の他の実施態様は、前計量済みの分量の自由流動性顆粒状固体のポリマー凝集剤を格納する密封された水溶性パウチを水に添加することを包含する水性の水体を処理する方法である。
【００４９】
本発明の他の実施態様は、密封された水溶性パウチ中に格納される前計量済みの分量の自由流動性顆粒状固体のキトサン塩を含む水処理組成物である。
【００５０】
本発明の他の実施態様は、前計量済みの分量の自由流動性顆粒状固体のキトサン塩を格納する密封された水溶性パウチを水に添加することを包含する水性の水体を処理する方法である。
【００５１】
本発明の他の実施態様は、前計量済みの分量の自由流動性顆粒状固体のキトサン塩を格納する密封された水溶性パウチを含むレクリエーション水処理組成物である。
【００５２】
本発明の他の実施態様は、自由流動性顆粒状固体のキトサン塩を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体のキトサン塩はレクリエーション水体に可溶性である、方法である。
【００５３】
本発明の他の実施態様は、密封された水溶性パウチ中に格納される前計量済みの分量の自由流動性顆粒状固体のホスフェート除去物質を含む水処理組成物である。
【００５４】
本発明の他の実施態様は、密封された水溶性パウチ中に格納される前計量済みの分量の自由流動性顆粒状固体のホスフェート除去物質を含む水処理組成物であって、ここで該自由流動性顆粒状固体のホスフェート除去物質は水溶性である、水処理組成物である。
【００５５】
本発明の他の実施態様は、ホスフェート除去物質を格納する密封された水溶性パウチを水に添加することを包含する水性の水体を処理する方法であって、ここで該自由流動性顆粒状固体のホスフェート除去物質は水溶性である、方法である。
【００５６】
本発明の他の実施態様は、密封された水溶性パウチ中に格納される前計量済みの分量の自由流動性顆粒状固体のホスフェート除去物質を含む水処理組成物であって、ここで該自由流動性顆粒状固体のホスフェート除去物質は部分的に水溶性である、水処理組成物である。
【００５７】
本発明の他の実施態様は、ホスフェート除去物質を格納する密封された水溶性パウチを水に添加することを包含する水性の水体を処理する方法であって、ここで該自由流動性顆粒状固体のホスフェート除去物質は部分的に水溶性である、方法である。
【００５８】
本発明の他の実施態様は、密封された水溶性パウチ中に格納される前計量済みの分量の自由流動性顆粒状固体のホスフェート除去物質およびポリマー凝集剤を含む水処理組成物であって、ここで該自由流動性顆粒状固体のホスフェート除去物質は部分的に水溶性である、水処理組成物である。
【００５９】
本発明の他の実施態様は、ホスフェート除去物質およびポリマー凝集剤を格納する密封された水溶性パウチを水に添加することを包含する水性の水体を処理する方法であって、ここで該自由流動性顆粒状固体のホスフェート除去物質は部分的に水溶性である、方法である。
【００６０】
本発明の他の実施態様は、密封された水溶性パウチ中に格納される前計量済みの分量の自由流動性顆粒状固体のホスフェート除去物質を含む水処理組成物であって、ここで該自由流動性顆粒状固体のホスフェート除去物質は実質的に水不溶性である、水処理組成物である。
【００６１】
本発明の他の実施態様は、ホスフェート除去物質を格納する密封された水溶性パウチを水に添加することを包含する水性の水体を処理する方法であって、ここで該自由流動性顆粒状固体のホスフェート除去物質は実質的に水不溶性である、方法である。
【００６２】
本発明の他の実施態様は、密封された水溶性パウチ中に格納される前計量済みの分量の自由流動性顆粒状固体のホスフェート除去物質およびポリマー凝集剤を含む水処理組成物であって、ここで該自由流動性顆粒状固体のホスフェート除去物質は実質的に水不溶性である、水処理組成物である。
【００６３】
本発明の他の実施態様は、ホスフェート除去物質およびポリマー凝集剤を格納する密封された水溶性パウチを水に添加することを包含する水性の水体を処理する方法であって、ここで該自由流動性顆粒状固体のホスフェート除去物質は実質的に水不溶性である、方法である。
【００６４】
本発明の他の実施態様は、酢酸ジルコニウム、キトサン塩、および酵素から構成される自由流動性顆粒状固体複合体を含む水処理組成物であって、ここで該複合体は水に可溶性である、水処理組成物である。
【００６５】
本発明の他の実施態様は、酢酸ジルコニウム、キトサン塩、および酵素から構成される自由流動性顆粒状固体複合体を含む水処理組成物を水性の水体に添加することを包含する水性の水体を処理する方法であって、ここで該複合体は水性の水体に可溶性である、方法である。
【００６６】
本発明の他の実施態様は、酢酸ジルコニウム、キトサン塩、および酵素から構成される前計量済みの分量の自由流動性顆粒状固体複合体を含む水処理組成物であって、ここで該複合体は水に可溶性であり、そして密封された水溶性パウチ中に格納される、水処理組成物である。
【００６７】
本発明の他の実施態様は、酢酸ジルコニウム、キトサン塩、および酵素から構成される前計量済みの分量の自由流動性顆粒状固体複合体を格納する密封された水溶性パウチを水に添加することを包含する水性の水体を処理する方法であって、ここで該自由流動性顆粒状固体複合体は水性の水体に可溶性である、方法である。
【００６８】
本発明の他の実施態様は、酢酸ジルコニウム、キトサン塩、および酵素から構成される前計量済みの分量の自由流動性顆粒状固体複合体を格納する密封された水溶性パウチを水に添加することを包含する、水泳プール、風呂、温泉、大型ウォーターパーク水体を含むレクリエーション水体を処理する方法であって、ここで該自由流動性顆粒状固体複合体は該レクリエーション水体に可溶性である、方法である。
【００６９】
本発明の他の実施態様は、酢酸ジルコニウム、キトサン塩、および酵素ペプシンから構成される自由流動性顆粒状固体複合体を含む水処理組成物であって、ここで該複合体は水に可溶性である、水処理組成物である。
【００７０】
本発明の他の実施態様は、酢酸ジルコニウム、キトサン塩、および酵素ペプシンから構成される自由流動性顆粒状固体複合体を含む水処理組成物を水性の水体に添加することを包含する水性の水体を処理する方法であって、ここで該複合体は水性の水体に可溶性である、方法である。
【００７１】
本発明の他の実施態様は、酢酸ジルコニウム、キトサン塩、および酵素ペプシンから構成される前計量済みの分量の自由流動性顆粒状固体複合体を含む水処理組成物であって、ここで該複合体は水に可溶性であり、そして密封された水溶性パウチ中に格納される、水処理組成物である。
【００７２】
本発明の他の実施態様は、酢酸ジルコニウム、キトサン塩、および酵素ペプシンから構成される前計量済みの分量の自由流動性顆粒状固体複合体を格納する密封された水溶性パウチを水に添加することを包含する水性の水体を処理する方法であって、ここで該自由流動性顆粒状固体複合体は水性の水体に可溶性である、方法である。
【００７３】
本発明の他の実施態様は、酢酸ジルコニウム、キトサン塩、および酵素ペプシンから構成される前計量済みの分量の自由流動性顆粒状固体複合体を格納する密封された水溶性パウチを水に添加することを包含する、水泳プール、風呂、温泉、大型ウォーターパーク水体を含むレクリエーション水体を処理する方法であって、ここで該自由流動性顆粒状固体複合体は水性の水体に可溶性である、方法である。
【００７４】
本発明の他の実施態様は、酢酸ジルコニウム、キトサン塩、および酵素ペプシンから構成される前計量済みの分量の自由流動性顆粒状固体複合体を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体複合体は水性の水体に可溶性である、方法である。
【００７５】
本発明の他の実施態様は、酢酸ジルコニウム、キトサン塩、および酵素から構成される前計量済みの分量の自由流動性顆粒状固体複合体を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体複合体は該レクリエーション水体に可溶性である、方法である。
【００７６】
本発明の他の実施態様は、ホスフェート除去物質およびポリマー凝集剤を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体のホスフェート除去物質は実質的に水不溶性である、方法である。
【００７７】
本発明の他の実施態様は、ホスフェート除去物質を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体のホスフェート除去物質は実質的に水不溶性である、方法である。
【００７８】
本発明の他の実施態様は、酢酸ジルコニウム、キトサン塩、および酵素から構成される自由流動性顆粒状固体複合体を含む水処理組成物を、スキマー内に配置することにより、水に添加することを包含する、水泳プール、風呂、温泉、大型ウォーターパーク水体を含むレクリエーション水体を処理する方法であって、ここで該複合体は水性の水体に可溶性である、方法である。
【００７９】
本発明の他の実施態様は、酢酸ジルコニウム、キトサン塩、および酵素から構成される前計量済みの分量の自由流動性顆粒状固体複合体を格納する密封された水溶性パウチを、スキマー内に配置することにより、水に添加することを包含する、水泳プール、風呂、温泉、大型ウォーターパーク水体を含むレクリエーション水体を処理する方法であって、ここで該自由流動性顆粒状固体複合体は該レクリエーション水体に可溶性である、方法である。
【００８０】
本発明の他の実施態様は、ホスフェート除去物質、ポリマー凝集剤、および酵素の前計量済みの分量の自由流動性顆粒状固体混合体を格納する密封された水溶性パウチを、スキマー内に配置することにより、水に添加することを包含する、水泳プール、風呂、温泉、大型ウォーターパーク水体を含むレクリエーション水体を処理する方法である。
【００８１】
本発明の他の実施態様は、前計量済みの分量の自由流動性顆粒状固体のホスフェート除去物質を格納する密封された水溶性パウチを、スキマー内に配置することにより、水に添加することを包含する、水泳プール、風呂、温泉、大型ウォーターパーク水体を含むレクリエーション水体を処理する方法である。
【００８２】
本発明の他の実施態様は、様々な組み合わせの様々なレクリエーション水処理化学製品または物質から構成される前計量済みの分量の自由流動性顆粒状固体のプール用複合体および／または混合体を格納する密封された水溶性パウチを、スキマー内に配置することにより、水に添加することを包含する、水泳プール、風呂、温泉、大型ウォーターパーク水体を含むレクリエーション水体を処理する方法であって、レクリエーション水処理化学製品または物質としては、以下を含む（但し、限定されない）：凝析剤、清澄剤、ポリマー凝集剤、殺藻剤、例えば、限定されないが、四級物、例えば、アルキルジメチルベンジルアンモニウムクロリド、ジメチルジデシルアンモニウムクロリド、ポリ四級物、例えば、ポリ［オキシエチレン（ジメチルイミノ）−エチレン−（ジメチルイミノ）−エチレン−ジクロリド］、銅塩、例えば、硫酸銅五水和物、四ホウ酸ナトリウムまたは四ホウ酸カリウム、過酸化水素または過酸化カルシウム、殺真菌剤、殺菌剤（例えば、四級アンモニウム塩、ポリヘキサメチレンビグアニド（ＰＨＭＢ）および過酸化水素または過酸化カルシウム、ハロゲン消毒剤、臭化ナトリウム、臭化カリウムを含む）、塩素安定剤（水溶性シアヌル酸塩、シアヌル酸を含む）、ｐＨ調整化学製品（例えば、重炭酸ナトリウム、炭酸ナトリウム、重硫酸ナトリウム）、水和塩化カルシウム、無水塩化カルシウム、シアヌル酸反応性化学製品、例えば、メラミン、金属キレート剤または金属補捉剤、以下に限定されないが例えば、エチレンジアミン四酢酸（ｅｔｈｙｌｅｎｅｄｉａｍｉｎｅｔｅｔｒａｃｅｔｉｃ  ａｃｉｄ）およびその塩、ヒドロキシエチレン二リン酸およびその塩、ホスフォノブタントリカルボン酸およびその塩、シュウ酸およびその塩、クエン酸およびその塩、ホスフェート吸収、ホスフェート結合、ホスフェート反応性またはホスフェート除去化学製品、酵素、芳香剤、セルロース性繊維を含むろ過助剤、カルシウム硬度低減化学製品または物質、シアヌル酸低減化学製品または物質、シリコン系消泡剤を含む消泡剤。
【００８３】
本発明の他の実施態様は、熱保持または蒸発防止のために用いられる様々な組み合わせの様々なレクリエーション水処理化学製品または物質から構成される前計量済みの分量の液体配合物を格納する密封された水溶性パウチを含むレクリエーション水処理組成物であって、レクリエーション水処理化学製品または物質としては、以下：Ｂｒｉｇ５９（ポリエチレン２０セチルエーテル）、Ｓｐａｎ４０（ソルビタンモノパルミテート）、セチルアルコール、メチルパラベン、プロピルパラベン、プロピレングリコールを含むが、それらに限定されない。
【００８４】
本発明の他の実施態様は、熱保持または蒸発防止のために用いられる様々な組み合わせの様々なレクリエーション水処理化学製品または物質から構成される前計量済みの分量の液体配合物を格納する密封された水溶性パウチを水に添加することを包含する、水泳プール、風呂、温泉、大型ウォーターパーク水体を含むレクリエーション水体を処理する方法であって、レクリエーション水処理化学製品または物質としては、以下：Ｂｒｉｇ５９（ポリエチレン２０セチルエーテル）、Ｓｐａｎ４０（ソルビタンモノパルミテート）、セチルアルコール、メチルパラベン、プロピルパラベン、プロピレングリコールを含むが、それらに限定されない。
【００８５】
本発明の他の実施態様は、熱保持または蒸発防止のために用いられる様々な組み合わせの様々なレクリエーション水処理化学製品または物質から構成される前計量済みの分量の液体配合物を格納する密封された水溶性パウチを、スキマー内に配置することにより、水に添加することを包含する、水泳プール、風呂、温泉、大型ウォーターパーク水体を含むレクリエーション水体を処理する方法であって、レクリエーション水処理化学製品または物質としては、以下：Ｂｒｉｇ５９（ポリエチレン２０セチルエーテル）、Ｓｐａｎ４０（ソルビタンモノパルミテート）、セチルアルコール、メチルパラベン、プロピルパラベン、プロピレングリコールを含むが、それらに限定されない。
【００８６】
本発明の他の実施態様は、様々な組み合わせの様々なレクリエーション水処理化学製品または物質から構成される前計量済みの分量の自由流動性顆粒状固体の複合体および／または混合体を格納する密封された水溶性パウチを含むレクリエーション水処理組成物であって、レクリエーション水処理化学製品または物質としては、以下を含む（但し、限定されない）：凝析剤、清澄剤、ポリマー凝集剤、殺藻剤、例えば、限定されないが、四級物、例えば、アルキルジメチルベンジルアンモニウムクロリド、ジメチルジデシルアンモニウムクロリド、ポリ四級物、例えば、ポリ［オキシエチレン（ジメチルイミノ）−エチレン−（ジメチルイミノ）−エチレン−ジクロリド］、銅塩、例えば、硫酸銅五水和物、四ホウ酸ナトリウムまたは四ホウ酸カリウム、過酸化水素または過酸化カルシウム、殺真菌剤、殺菌剤（例えば、四級アンモニウム塩、ポリヘキサメチレンビグアニド（ＰＨＭＢ）および過酸化水素または過酸化カルシウム、ハロゲン消毒剤、臭化ナトリウム、臭化カリウムを含む）、塩素安定剤（水溶性シアヌル酸塩、シアヌル酸を含む）、ｐＨ調整化学製品（例えば、重炭酸ナトリウム、炭酸ナトリウム、重硫酸ナトリウム）、水和塩化カルシウム、無水塩化カルシウム、シアヌル酸反応性化学製品、例えば、メラミン、金属キレート剤または金属補捉剤、以下に限定されないが例えば、エチレンジアミン四酢酸およびその塩、ヒドロキシエチレン二リン酸およびその塩、ホスフォノブタントリカルボン酸およびその塩、シュウ酸およびその塩、クエン酸およびその塩、ホスフェート吸収、ホスフェート結合、ホスフェート反応性またはホスフェート除去化学製品、酵素、芳香剤、セルロース性繊維を含むろ過助剤、カルシウム硬度低減化学製品または物質、シアヌル酸低減化学製品または物質、シリコン系消泡剤を含む消泡剤。
【００８７】
本発明の他の実施態様は、前計量済みの分量の自由流動性顆粒状固体のレクリエーション水処理化学製品または物質を格納する密封された水溶性パウチを含むレクリエーション水処理組成物であって、レクリエーション水処理化学製品または物質は以下：凝析剤、清澄剤、ポリマー凝集剤、殺藻剤、例えば、限定されないが、四級物、例えば、アルキルジメチルベンジルアンモニウムクロリド、ジメチルジデシルアンモニウムクロリド、ポリ四級物、例えば、ポリ［オキシエチレン（ジメチルイミノ）−エチレン−（ジメチルイミノ）−エチレン−ジクロリド］、銅塩、例えば、硫酸銅五水和物、四ホウ酸ナトリウムまたは四ホウ酸カリウム、過酸化水素または過酸化カルシウム、殺真菌剤、殺菌剤（例えば、四級アンモニウム塩、ポリヘキサメチレンビグアニド（ＰＨＭＢ）および過酸化水素または過酸化カルシウム、ハロゲン消毒剤、臭化ナトリウム、臭化カリウムを含む）、塩素安定剤（水溶性シアヌル酸塩、シアヌル酸を含む）、ｐＨ調整化学製品（例えば、重炭酸ナトリウム、炭酸ナトリウム、重硫酸ナトリウム）、水和塩化カルシウム、無水塩化カルシウム、シアヌル酸反応性化学製品、例えば、メラミン、金属キレート剤または金属補捉剤、以下に限定されないが例えば、エチレンジアミン四酢酸およびその塩、ヒドロキシエチレン二リン酸およびその塩、ホスフォノブタントリカルボン酸およびその塩、シュウ酸およびその塩、クエン酸およびその塩、ホスフェート吸収、ホスフェート結合、ホスフェート反応性またはホスフェート除去化学製品、酵素、芳香剤、セルロース性繊維を含むろ過助剤、カルシウム硬度低減化学製品または物質、シアヌル酸低減化学製品または物質、シリコン系消泡剤を含む消泡剤から、単一の化学成分として、または複数の化学成分の様々な組み合わせとして選択される。
【００８８】
本発明の他の実施態様は、前計量済みの分量の塩素安定化剤、ホスフェート除去剤、金属キレート剤、ｐＨ平衡剤を格納する密封された水溶性パウチを含むレクリエーション水処理組成物である。
【００８９】
本発明の他の実施態様は、塩化ランタン、キトサン塩および酵素から構成される自由流動性顆粒状固体複合体を含む水処理組成物であって、ここで該複合体は水に可溶性である、水処理組成物である。
【００９０】
本発明の他の実施態様は、塩化ランタン、キトサン塩、および酵素から構成される自由流動性顆粒状固体複合体を含む水処理組成物を水性の水体に添加することを包含する水性の水体を処理する方法であって、ここで該複合体は水性の水体に可溶性である、方法である。
【００９１】
本発明の他の実施態様は、塩化ランタン、キトサン塩および酵素から構成される前計量済みの分量の自由流動性顆粒状固体複合体を含む水処理組成物であって、ここで該複合体は水に可溶性であり、そして密封された水溶性パウチ中に格納される、水処理組成物である。
【００９２】
本発明の他の実施態様は、塩化ランタン、キトサン塩、および酵素から構成される前計量済みの分量の自由流動性顆粒状固体複合体を格納する密封された水溶性パウチを水に添加することを包含する水性の水体を処理する方法であって、ここで該自由流動性顆粒状固体複合体は水性の水体に可溶性である、方法である。
【００９３】
本発明の他の実施態様は、塩化ランタン、キトサン塩、および酵素から構成される前計量済みの分量の自由流動性顆粒状固体複合体を格納する密封された水溶性パウチを水に添加することを包含する、水泳プール、風呂、温泉、大型ウォーターパーク水体を含むレクリエーション水体を処理する方法であって、ここで該自由流動性顆粒状固体複合体はレクリエーション水体に可溶性である、方法である。
【００９４】
本発明の他の実施態様は、塩化ランタン、キトサン塩および酵素ペプシンから構成される自由流動性顆粒状固体複合体を含む水処理組成物であって、ここで該複合体は水に可溶性である、水処理組成物である。
【００９５】
本発明の他の実施態様は、塩化ランタン、キトサン塩、および酵素ペプシンから構成される自由流動性顆粒状固体複合体を含む水処理組成物を水性の水体に添加することを包含する水性の水体を処理する方法であって、ここで該複合体は水性の水体に可溶性である、方法である。
【００９６】
本発明の他の実施態様は、塩化ランタン、キトサン塩および酵素ペプシンから構成される前計量済みの分量の自由流動性顆粒状固体複合体を含む水処理組成物であって、ここで該複合体は水に可溶性であり、そして密封された水溶性パウチ中に格納される、水処理組成物である。
【００９７】
本発明の他の実施態様は、塩化ランタン、キトサン塩、および酵素ペプシンから構成される前計量済みの分量の自由流動性顆粒状固体複合体を格納する密封された水溶性パウチを水に添加することを包含する水性の水体を処理する方法であって、ここで該自由流動性顆粒状固体複合体は水性の水体に可溶性である、方法である。
【００９８】
本発明の他の実施態様は、塩化ランタン、キトサン塩、および酵素ペプシンから構成される前計量済みの分量の自由流動性顆粒状固体複合体を格納する密封された水溶性パウチを水に添加することを包含する、水泳プール、風呂、温泉、大型ウォーターパーク水体を含むレクリエーション水体を処理する方法であって、ここで該自由流動性顆粒状固体複合体は水性の水体に可溶性である、方法である。
【００９９】
本発明の他の実施態様は、塩化ランタン、キトサン塩、および酵素ペプシンから構成される前計量済みの分量の自由流動性顆粒状固体複合体を格納する密封された水溶性パウチを、スキマー中に配置することにより、水に添加することを包含する、水泳プール、風呂、温泉、大型ウォーターパーク水体を含むレクリエーション水体を処理する方法であって、ここで該自由流動性顆粒状固体複合体は水性の水体に可溶性である、方法である。
【０１００】
本発明の他の実施態様は、塩化ランタン、キトサン塩、および酵素から構成される前計量済みの分量の自由流動性顆粒状固体複合体を格納する密封された水溶性パウチを、スキマー中に配置することにより、水に添加することを包含する、水泳プール、風呂、温泉、大型ウォーターパーク水体を含むレクリエーション水体を処理する方法であって、ここで該自由流動性顆粒状固体複合体はレクリエーション水体に可溶性である、方法である。
【０１０１】
本発明の他の実施態様は、前計量済みの分量の自由流動性固体の酵素粉末または酵素顆粒を格納する密封された水溶性パウチを含む、レクリエーション水処理組成物である。
【０１０２】
本発明の他の実施態様は、前計量済みの分量の自由流動性固体の酵素粉末または酵素顆粒を格納する密封された水溶性パウチを、スキマー中に配置することにより、水に添加することを包含する、水泳プール、風呂、温泉、大型ウォーターパーク水体を含むレクリエーション水体を処理する方法であって、ここで該自由流動性固体の酵素粉末または酵素顆粒はレクリエーション水体に可溶性である、方法である。
【０１０３】
本発明の他の実施態様は、前計量済みの分量の自由流動性固体の酵素粉末または酵素顆粒ならびにポリマー凝集剤を格納する密封された水溶性パウチを含むレクリエーション水処理組成物である。
【０１０４】
本発明の他の実施態様は、前計量済みの分量の自由流動性固体の酵素粉末または酵素顆粒ならびにポリマー凝集剤を格納する密封された水溶性パウチをスキマー中に配置することで水に添加することを包含する、水泳プール、風呂、温泉、大型ウォーターパーク水体を含むレクリエーション水体を処理する方法であって、ここで該自由流動性固体の酵素粉末または酵素顆粒ならびにポリマー凝集剤はレクリエーション水体に可溶性である、方法である。
【０１０５】
本発明の他の実施態様は、前計量済みの分量の自由流動性固体の酵素粉末または酵素顆粒ならびにキトサン塩を格納する密封された水溶性パウチを含むレクリエーション水処理組成物である。
【０１０６】
本発明の他の実施態様は、前計量済みの分量の自由流動性固体の酵素粉末または酵素顆粒ならびにキトサン塩を格納する密封された水溶性パウチを、スキマー中に配置することにより、水に添加することを包含する、水泳プール、風呂、温泉、大型ウォーターパーク水体を含むレクリエーション水体を処理する方法であって、ここで該自由流動性固体の酵素粉末または酵素顆粒ならびにキトサン塩はレクリエーション水体に可溶性である、方法である。
【０１０７】
本発明の他の実施態様は、前計量済みの分量の自由流動性固体の硫酸銅五水和物殺藻剤を格納する密封された水溶性パウチを含むレクリエーション水処理組成物である。
【０１０８】
本発明の他の実施態様は、レクリエーション水体に可溶性の前計量済みの分量の自由流動性固体の硫酸銅五水和物殺藻剤を格納する密封された水溶性パウチを、スキマー中に配置することにより、水に添加することを包含する、水泳プール、風呂、温泉、大型ウォーターパーク水体を含むレクリエーション水体を処理する方法である。
【０１０９】
本発明の他の実施態様は、自然または工業水体に可溶性の、前計量済みの分量の自由流動性固体の硫酸銅五水和物殺藻剤を格納する密封された水溶性パウチを含む自然または工業水処理組成物である。
【０１１０】
本発明の他の実施態様は、自然または工業水体に可溶性の、前計量済みの分量の自由流動性固体の硫酸銅五水和物殺藻剤を格納する密封された水溶性パウチを水に添加することを包含する、自然または工業水体を処理する方法である。
【０１１１】
いくつかの実施態様は、ホスフェート除去物質およびポリマー凝集剤から構成される複合体を含む水処理組成物であって、ここで該複合体は自由流動性顆粒状固体を含み、そして該ホスフェート除去物質およびポリマー凝集剤が該顆粒状固体内で相互に結合されている、水処理組成物に関連する。
【０１１２】
いくつかの実施態様では、複合体は結晶構造を有する。
【０１１３】
いくつかの実施態様では、複合体はさらに酵素を含む。
【０１１４】
いくつかの実施態様では、複合体は水溶性である。
【０１１５】
いくつかの実施態様では、複合体は密封された水溶性パウチ中に格納される。
【０１１６】
いくつかの実施態様では、パウチは加水分解ポリビニルアルコールまたはセルロースをベースにした材料である。
【０１１７】
いくつかの実施態様では、ホスフェート除去物質はジルコニウム化合物、希土類ランタニド塩、アルミニウム含有化合物、鉄化合物、またはそれらの任意の組み合わせから選択される。
【０１１８】
いくつかの実施態様では、ホスフェート除去物質は酢酸ジルコニウム、硫酸ジルコニウム、オキシ塩化ジルコニウム、塩基性硫酸ジルコニウム、およびそれらの様々な組み合わせから選択される。
【０１１９】
いくつかの実施態様では、ホスフェート除去物質は塩化ランタン、炭酸ランタン、または硫酸ランタンである。
【０１２０】
いくつかの実施態様では、ホスフェート除去物質は硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせから選択される。
【０１２１】
いくつかの実施態様では、ホスフェート除去物質は酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせから選択される。
【０１２２】
いくつかの実施態様では、ホスフェート除去物質は、シリカ化合物（例えば、シリカスルフェート、好ましくはメソポーラスシリカスルフェート）から選択される。
【０１２３】
いくつかの実施態様では、ポリマー凝集剤は、合成ポリマー、天然生体ポリマー多糖類、誘導体化天然生体ポリマー多糖類、またはそれらの任意の組み合わせから選択される。
【０１２４】
いくつかの実施態様では、ポリマー凝集剤は、ポリアクリルアミド、ポリアクリルアミドコポリマー（例えば、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー）；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される。
【０１２５】
いくつかの実施態様では、ポリマー凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせから選択される。
【０１２６】
いくつかの実施態様では、ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される。
【０１２７】
いくつかの実施態様では、酵素はアミラーゼ、セルラーゼ、プロテアーゼ、リパーゼ、ホスファターゼ、ペルオキシダーゼ、ペクチナーゼ、ペプシン、またはそれらの任意の組み合わせから選択される。
【０１２８】
いくつかの実施態様では、ホスフェート除去物質は酢酸ジルコニウムであり、ポリマー凝集剤はキトサン塩であり、そして複合体はさらにペプシン酵素を含み、ここで、ホスフェート除去物質、ポリマー凝集剤、および酵素は顆粒状固体内で相互に結合される。
【０１２９】
いくつかの実施態様では、ホスフェート除去物質は塩化ランタンであり、ポリマー凝集剤はキトサン塩であり、そして複合体はさらにペプシン酵素を含み、ここで、ホスフェート除去物質、ポリマー凝集剤、および酵素は顆粒状固体内で相互に結合される。
【０１３０】
いくつかの実施態様では、水処理組成物はさらに殺藻剤を含む。
【０１３１】
いくつかの実施態様では、水処理組成物はさらに金属捕捉剤または金属キレート剤を含む。
【０１３２】
いくつかの実施態様は、請求項１に記載の水処理組成物を水体に添加することを包含する、水性の水体を処理する方法に関連する。
【０１３３】
いくつかの実施態様では水体は塩素処理される。
【０１３４】
いくつかの実施態様では、方法はさらに水処理組成物をスキマーに加えることを含む。
【０１３５】
いくつかの実施態様では、水体はビグアニド消毒剤を含有する。
【０１３６】
様々な実施態様のホスフェート除去物質は、ジルコニウム化合物（例えば、酢酸ジルコニウム、硫酸ジルコニウム、オキシ塩化ジルコニウム、塩基性硫酸ジルコニウム、およびそれらの様々な組み合わせ）から選択され得る。
【０１３７】
様々な実施態様のホスフェート除去物質は、希土類ランタニド塩（例えば、塩化ランタン、炭酸ランタン、または硫酸ランタンであってそれらの組み合わせを含む）から選択され得る。
【０１３８】
様々な実施態様のホスフェート除去物質は、アルミニウム化合物（例えば、硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせ）から選択され得る。
【０１３９】
様々な実施態様のホスフェート除去物質は、鉄化合物（例えば、酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせ）から選択され得る。
【０１４０】
様々な実施態様のホスフェート除去物質は、シリカ含有化合物（例えば、シリカスルフェート、特にメソポーラスシリカスルフェート）から選択され得る。
【０１４１】
様々な実施態様のホスフェート除去物質は、鉄化合物、希土類化合物、アルミニウム化合物、およびジルコニウム化合物の１つ以上の様々な組み合わせから構成され得る。
【０１４２】
様々な実施態様のポリマー凝集剤は、合成ポリマー（例えば、ポリアクリルアミド、ポリアクリルアミドコポリマー（例えば、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー）；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせ）から選択され得る。
【０１４３】
様々な実施態様のポリマー凝集剤は、天然生体ポリマー多糖類から選択され得、天然生体ポリマー多糖類としては、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせを含むキトサン塩が挙げられるが、それらに限定されない。様々な実施態様の実施においてポリマー凝集剤として有用なキトサン塩は、典型的に２０，０００ダルトンから２００万ダルトン（例えば、５０，０００ダルトンから１００万ダルトン、または例えば、１００，０００ダルトンから９００，０００ダルトン）の範囲の分子量を有する。キトサン塩は、典型的に５０％から１００％（例えば、６０％から９５％、または７０％から９０％）の脱アセチル化割合を有する。本発明の実施において有用ないくつかのキトサン塩は、Ｃ１からＣ１８のモノカルボン酸またはポリカルボン酸とキトサンとの塩（例えば、酢酸キトサンまたは乳酸キトサン）である。非限定的な例として本発明の実施において有用なキトサン塩としては：グルタミン酸キトサン、塩酸キトサン、コハク酸キトサン、フマル酸キトサン、アジピン酸キトサン、グリコール酸キトサン（ｃｈｉｔｏｓａｎ  ｇｌｙｃｏｌａｔｅ）、酒石酸キトサン（ｃｈｉｔｏｓａｎ  ｔａｒｔｒａｔｅ）、ギ酸キトサン（ｃｈｉｔｏｓａｎ  ｆｏｒｍａｔｅ）、リンゴ酸キトサン、およびクエン酸キトサンが挙げられる。他の有用な凝集剤としては、任意の以下の化合物：Ｎ−ハロキトサン、ゴム、デンプン、およびポリアクリルアミドのアニオン性またはカチオン性形態が挙げられる。代表的なＮ−ハロキトサンは、１％から３５％の２−デオキシ−２−アセトアミドグルコース単量体単位、１％から９０％の２−デオキシ−２−アミノグルコース単量体単位および８％から９８％の２−デオキシ−２−ハロアミノグルコース単量体単位を含むポリマーであり、ここでハロアミノ基はクロロアミノ基またはブロモアミノ基またはヨードアミノ基である。
【０１４４】
様々な実施態様のポリマー凝集剤は、天然生体ポリマー多糖類または誘導体化天然生体ポリマー多糖類から選択され得、天然生体ポリマー多糖類または誘導体化天然生体ポリマー多糖類としてはグアー、カチオン性グアー、アニオン性グアー、デンプン、カチオン性デンプン、アニオン性デンプン、カラギーナン、メチルセルロース、ヒドロキシプロピルセルロース、カルボキシメチルセルロースナトリウム、ヒドロキシメチルセルロース、ヒドロキシプロピルメチルセルロース、ヒドロキシエチルセルロース、キサンタン、アルギネート、ペクチン、グルコマンナン、ガラクトマンナン等およびそれらの様々な組み合わせが挙げられるが、それらに限定されない。
【０１４５】
様々な実施態様の酵素は、以下の酵素：アミラーゼ、セルラーゼ、プロテアーゼ、リパーゼ、ホスファターゼ、ペルオキシダーゼ、ペクチナーゼ、ペプシン等から選択され得るが、それに限定されず、そしてそれらの様々な組み合わせが含まれ得る。例えば、酵素は有機物を分解するために添加され得る。
【０１４６】
本明細書で記載される実施態様において金属または金属キレート剤が用いられ得る。適切な金属およびキレート剤としては、以下：エチレンジアミン四酢酸（ＥＤＴＡ）、エチレンジアミン四酢酸のナトリウム塩、ジエチレントリアミン五酢酸、クエン酸、グルコン酸ナトリウム、グルコン酸カリウム、トリポリリン酸ナトリウム、グルコノ−デルタ−ラクトン、エチレンジアミン四酢酸カルシウム二ナトリウム、およびヘキサメタリン酸ナトリウムのうちの１つ以上、あるいは任意の組み合わせが挙げられるが、それらに限定されない。
【０１４７】
様々な実施態様のポッドまたはパウチを調製するために用いられる水溶性フィルムは、部分的に加水分解されたポリビニルアルコールから構成され得る。あるいは、水溶性フィルムはポリビニルアルコールであり得る。加水分解の程度を調整することにより、溶解性の割合を決定することができる。フィルムは、中に格納する化学製品に対して適合性であるべきである。水溶性のセルロースを基にした材料もまた、ポッドまたはパウチを調製するために用いられ得る。他のフィルムの材料としては、四級化タンパク質水解物、四級化ポリアミン、ポリビニルピロリドン、アクリル酸−マレイン酸コポリマー、ポリリン酸、およびデキストリン誘導体が挙げられ得る。水溶性フィルムおよび水溶性パウチを作製するプロセスは、当該分野においてありふれたものである。いくつかの場合において、フィルムの溶解性を向上または低減させる必要性にあわせて、フィルムの厚さは増加または減少させることができる。しかしながら、一般的に迅速な溶解時間が好まれる。加えて、いくつかの実施態様は着色または染色されたフィルムを用いることがある。さらに、水溶性フィルムのための材料は上記に限定されず、上記基準に適合する任意の公知の水溶性フィルムが用いられ得る。
【０１４８】
様々な実施態様の複合体、混合体、または組成物の任意の化合物または構成成分は、組成物の、約、最大で約、または最小で約０．１、０．５、１、１．５、２、２．５、３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、６０．５、６１、６１．５、６２、６２．５、６３、６３．５、６４、６４．５、６５、６５．５、６６、６６．５、６７、６７．５、６８、６８．５、６９、６９．５、７０、７０．５、７１、７１．５、７２、７２．５、７３、７３．５、７４、７４．５、７５、７５．５、７６、７６．５、７７、７７．５、７８、７８．５、７９、７９．５、８０、８０．５、８１、８１．５、８２、８２．５、８３、８３．５、８４、８４．５、８５、８５．５、８６、８６．５、８７、８７．５、８８、８８．５、８９、８９．５、９０、９０．５、９１、９１．５、９２、９２．５、９３、９３．５、９４、９４．５、９５、９５．６、９７、９７．５、９８、９８．５、９９、もしくは９９．５％の、またはそれより大きいが１００％より小さい重量パーセント、あるいはそこで導出可能な任意の範囲の重量パーセントを構成し得る。重量パーセントは乾燥重量に基づいて与えられる。ホスフェート除去物質、ポリマー凝集剤、および酵素の重量パーセントは意図される用途に適合するように調整することができる。例えば、ホスフェート濃度が高い場合、ホスフェート除去物質は組成物の大部分を構成し得る。構成成分の組み合わせが組成物、複合体、または混合体について特定される場合、そのような特定された構成成分の重量パーセントは、合計で重量の１００％となり得る。
【０１４９】
様々な実施態様の任意の複合体、混合体、または組成物は、１つ以上の化合物または構成成分を含んでもよく、１つ以上の化合物または構成成分からなってもよく、あるいは本質的に１つ以上の化合物または構成成分からなってもよい。本質的に１つ以上の化合物または構成成分から構成される任意の複合体、混合体、または組成物は、複合体、混合体、または組成物の基本的および新規な特性に著しく影響を与えない他の化合物または構成成分をさらに含み得ることが理解される。
【０１５０】
複合体を作製する方法
他の実施態様は、ホスフェート除去物質、ポリマー凝集剤、および酵素を含む複合体を作製する方法に関連する。ホスフェート除去物質、ポリマー凝集剤、および酵素を含む複合体を作製する１つの方法は、以下の工程を包含する。言及される特定のホスフェート除去物質、ポリマー凝集剤、および酵素は、本明細書で開示される他の化合物に置換することが可能である。
【０１５１】
計量された分量の酢酸ジルコニウム水溶液（２２％ＺｒＯ２として）を混合タンクに加え、続いて計量された分量のキトサン固体フレークを酢酸ジルコニウム溶液を格納する混合タンクに加えてそして十分に混合し、続いて計量された分量の酢酸（希釈氷酢酸または純氷酢酸であり得る）を酢酸ジルコニウムおよびキトサンを格納する混合タンクに加えてそして混合し、続いて計量された分量の粉末または液体形態のいずれかの酵素濃縮物を加え、続いて成分を完全に反応させるために徹底的および十分に混合し、続いて全ての不溶性物体を除去するために反応ミックスをろ過し、続いてろ過された反応ミックスを乾燥させる。業務乾燥の分野の当業者に公知であるように、乾燥のための多数の手法が利用可能である。噴霧乾燥が好ましい方法であるが、トレイ乾燥もまた受容可能である。乾燥温度は５５℃を超えない温度に維持することが好ましい。乾燥複合体が可溶性のままであり、そして凝集活性が破壊されない限り、より高い温度が許容可能である。乾燥の後に、所望される場合には、乾燥した均質な自由流動性であり結晶性の複合体は規定された粒子サイズにするためにふるいにかけることができ、そしてパウチ／ポッドの形態の水溶性フィルム（例えば、部分的に加水分解されたポリビニルアルコールまたは酢酸ビニルの加水分解されたコポリマーから構成される）中にパッケージングし、そして密封することができる。セルロースをベースにした水溶性ポッドまたはパウチもまた用いることができる。密封されたパウチ／ポッドは、乾燥剤を含むＭｙｌａｒまたは防湿包装中にパッケージングすることができる。分子ふるい乾燥剤（例えば、Ｓｉｌｉｐｏｒｉｔｅ）が好ましい。あるいは、乾燥複合体は、乾燥複合体顆粒または粉末を非水溶性包装から処理される水体に単に流し込むことによって、水体に直接投入するための非水溶性包装にパッケージングすることができる。
【０１５２】
ホスフェート除去物質、ポリマー凝集剤および酵素を含む複合体を作製する代替の方法は、以下の工程を包含する。
【０１５３】
計量された分量の酢酸ジルコニウム水溶液（２２％ＺｒＯ２として）を混合タンクに加え、続いて計量された分量の粉末または液体形態のいずれかの酵素濃縮物を加えてそして十分に混合し、続いて計量された分量のキトサン固体フレークを酢酸ジルコニウム溶液を格納する混合タンクに加えてそして十分に混合し、続いて計量された分量の酢酸（希釈氷酢酸または純氷酢酸であり得る）を酢酸ジルコニウム、酵素およびキトサンを格納する混合タンクに加えてそして十分に混合し、続いて成分を完全に反応させるために徹底的および十分に混合し、続いて全ての不溶性材料を除去するために反応ミックスをろ過し、続いてろ過された反応ミックスを乾燥させる。業務乾燥の分野の当業者に公知であるように、乾燥のための多数の手法が利用可能である。噴霧乾燥が好ましい方法であるが、トレイ乾燥もまた受容可能である。乾燥温度は５５℃を超えない温度に維持することが好ましい。乾燥複合体が可溶性のままであり、そして凝集活性が破壊されない限り、より高い温度が許容可能である。乾燥の後に、所望される場合には、乾燥した均質な自由流動性であり結晶性の複合体は規定された粒子サイズにするためにふるいにかけることができ、そしてパウチ／ポッドの形態の水溶性フィルム（例えば、部分的に加水分解されたポリビニルアルコールまたは酢酸ビニルの加水分解されたコポリマーから構成される）中にパッケージングし、そして密封することができる。セルロースをベースにした水溶性ポッドまたはパウチもまた用いることができる。密封されたパウチ／ポッドは、乾燥剤を含むＭｙｌａｒまたは防湿包装にパッケージングすることができる。分子ふるい乾燥剤（例えば、Ｓｉｌｉｐｏｒｉｔｅ）が好ましい。あるいは、乾燥複合体は、乾燥複合体顆粒または粉末を非水溶性包装から処理される水体に単に流し込むことによって、水体に直接投入するための非水溶性包装にパッケージングすることができる。
【０１５４】
ホスフェート除去物質、ポリマー凝集剤、および酵素を含む複合体を作製する代替の方法を用いることができる。計量された分量の酵素（乾燥形態または液体濃縮物形態のいずれか）を、水を格納する混合タンクに攪拌しながら加える。酵素を含有する水を、酵素が十分に混合され溶解するまで混合する。計量された分量の酢酸ジルコニウム溶液（２２％ＺｒＯ２として）を、溶解した酵素を格納するタンクに混合しながらゆっくりと加える。
【０１５５】
別のタンク中で、キトサンは希釈された酢酸を含有する水溶液中に溶解させることができる。計量された分量のキトサンフレークを、水を格納する混合タンクに加え、十分にキトサンを湿らせるように混合する。それに続いて、計量された分量の純氷酢酸または希釈された氷酢酸を混合タンクに加え、そしてキトサンを溶解させるように混合する。次に、計量された分量の溶解したキトサンを、酢酸ジルコニウム溶液および溶解した酵素の溶液を格納するタンクにゆっくりと加え、そして内容物全体を混合し、そして反応させる。酢酸ジルコニウム、キトサンおよび酵素の複合体を含有する反応ミックスの溶液を、不溶物を除去するためにろ過し、そして次に先述のように乾燥させる。所望の場合には、乾燥複合体の粉砕および／またはふるい分けを行うことができ、続いて先述のようにパッケージングすることができる。
【０１５６】
他の方法では、計量された分量の乾燥ホスフェート除去物質を、溶解したキトサンおよび溶解した酵素を含有する計量された分量の水溶液にゆっくりと加えることができ、そして複合体を形成するために混合することができる。次に、複合体を含有する反応ミックスをろ過および乾燥させる。乾燥複合体は、所望の場合には、粉砕およびふるい分けすることが可能であり、そして先述のようにパウチ詰めおよびパッケージングすることができる。
【０１５７】
特定の活性成分を混合するだけで様々な複合体が作り出すことができるということが理解される。例えば、ホスフェート除去ポリマー凝集剤複合体は、ホスフェート除去物質およびポリマー凝集剤のみを含有する反応混合物に酵素を除入れないことで作り出すことができる。
【０１５８】
混合体を作製する方法
他の実施態様は、ホスフェート除去剤、ポリマー凝集剤、および酵素を含む混合体の作製に関連する。ホスフェート除去剤、ポリマー凝集剤、および酵素を含む混合体は、乾燥形態で全ての３つの成分を一緒にブレンドし、そして密封されたパウチ／ポッドの形態の水溶性フィルム（例えば、部分的に加水分解されたポリビニルアルコールまたは酢酸ビニルの加水分解されたコポリマーから構成される）中に混合体をパッケージングすることによって、作製することができる。密封パウチ／ポッドはＭｙｌａｒまたは乾燥剤を含む防湿包装中にパッケージングすることができる。分子ふるい乾燥剤（例えば、Ｓｉｌｉｐｏｒｉｔｅ）が好ましい。あるいは、乾燥混合体は、単に乾燥混合体粉末または顆粒を非水溶性包装から処理される水体に流し込むことによって水体に直接投入するための非水溶性包装中にパッケージングすることができる。
【実施例】
【０１５９】
実施例１
ホスフェート除去剤、ポリマー凝集剤、および酵素の複合体の結晶
噴霧乾燥された複合体を、酢酸ジルコニウム、酢酸キトサン、および酵素ペプシンの溶液を混合することによって調製した。複合体結晶の写真を図２および３に示している。
【０１６０】
実施例２
ホスフェート除去剤、ポリマー凝集剤、および酵素の複合体を格納する水溶性パウチ
図４に示すように、ホスフェート除去剤、ポリマー凝集剤、および酵素から構成される複合体の結晶を密封された水溶性パウチ内にパッケージングした。パウチは本明細書で開示されるいずれの化合物も格納するように作ることができるということが理解されるべきである。
【０１６１】
実施例３
ホスフェート除去剤、ポリマー凝集剤、および酵素を格納する密封された水溶性パウチの可溶化
ホスフェート除去剤、ポリマー凝集剤、および酵素を含む計量された分量の複合体を格納する密封された水溶性パウチを水に加え、図５Ａ、５Ｂ、５Ｃ、５Ｄ、５Ｅ、５Ｆ、５Ｇ、および５Ｈに示すようにパウチが溶解するにつれて異なる時点で写真撮影をおこなった。図５Ａは乾燥したパウチを示している。図５Ｂは水に加えられるパウチを示している。図５Ｃは溶解し始めたパウチを示している。図５Ｄは進行するパウチの可溶化を示している。図５Ｅは進行するパウチの可溶化を示している。図５Ｆは、パウチが完全に溶解したことを示している。
【０１６２】
実施例４
ホスフェート除去剤、ポリマー凝集剤、および酵素の複合体の機能的性能特性
複合体のリン酸除去
酢酸ジルコニウム、酢酸キトサン、および酵素ペプシンの溶液を混合することによって調製された、計量された分量の乾燥複合体を、乾燥させ、そしてＵＳＥＰＡおよび廃水についてのＳｔａｎｄａｒｄ  Ｍｅｔｈｏｄ  ４５００−Ｐ−Ｅと等価な標準的手順を用いてホスフェート除去活性について試験した。乾燥複合体を、計量された分量の水に加えて複合体を溶解させた。溶解した複合体を含む計量された分量の水を、実験室で調製した計量された分量のオルトホスフェートを含む水泳プール水に加えた。所定の時間の混合の後、Ｗｈａｔｍａｎ  Ａｕｔｏｖｉａｌ  ０．４５μｍガラスマイクロファイバーフィルターによって水をろ過した。ろ過された水の中に残存するホスフェートの量を、ＵＳＥＰＡ  ＰｈｏｓＶｅｒ３（アスコルビン酸）方法ＨＡＣＨ  ８０４８に従い、ＨＡＣＨ  ２８００分光光度計、Ｐｒｏｇｒａｍ＃４９０を用いて測定した。溶解した複合体によって除去されたホスフェートは、３回の平均として表１に報告する。
【表１】
0006433076.tif 000002
【０１６３】
複合体の凝集性能
酢酸ジルコニウム、酢酸キトサン、および酵素ペプシンの溶液を混合することによって調製した、計量された分量の乾燥複合体を、乾燥させ、そして日焼け止めの懸濁液を含有する実験室で調製した水泳プール水を用いて凝集活性について試験した。乾燥複合体を計量された分量の水道水に加え、複合体を溶解させた。溶解した複合体を含有する計量された分量の水を、濁った懸濁液を作るために用いられた計量された分量の日焼け止め／サンスクリーンを含有する実験室で調製した水泳プール水に加えた。図６に示すように、混合の後、複合体処理された日焼け止め／サンスクリーンの懸濁液（図６における右側のボトル）では、非処理の対照懸濁液（図６における左側のボトル）と比較してフロキュール（ｆｌｏｃｃｕｌｅ）が形成されているのが明らかに観察された。
【０１６４】
溶解した複合体の酵素活性
酢酸ジルコニウム、酢酸キトサン、および酵素ペプシンの溶液を混合することによって調製した計量された分量の乾燥複合体を、乾燥させ、ヘモグロビンタンパク質の消化または分解を測定する標準プロトコルを用いてペプシン酵素活性について試験した。乾燥複合体を計量された分量の水に加え、複合体を溶解させた。溶解した複合体を含有する計量された分量の水を、Ｅｎｚｙｍａｔｉｃ  Ａｓｓａｙ  ｏｆ  Ｐｅｐｓｉｎ  （ＥＣ３．４．２３．１）３／２５／９６改訂という題のＳｉｇｍａ  Ｃｈｅｍｉｃａｌ  Ｐｒｏｃｅｄｕｒｅ  ＳＳＨＥＭＯ  ０１に従って、水性緩衝溶液中の予め計量された分量のヘモグロビンに加え、およそ１０分間３７℃でインキュベートした。ヘモグロビンの消化を、分光光度計を用いて吸光度によって測定し、そして酵素活性を測定し、１ｍｌあたりの単位で報告した。
【０１６５】
単位の定義
１単位は、ｐＨ２．０、３７℃でヘモグロビンを基質として用いてＴＣＡ可溶性の産物として測定された１分あたり０．００１のΔＡ２８０ｎｍ（ここでデルタは２８０ナノメートルの波長の紫外光の吸収の変化を意味する）を産生する。（最終的な体積＝１６ｍｌ。  光路長＝１ｃｍ。）。溶解した複合体の測定された酵素活性は８．４単位／ｍＬである。
【０１６６】
密封された水溶性パウチ内へのパッケージングに用いられたポリマー凝集剤の凝集活性
自由流動性固体顆粒状乳酸キトサン凝集剤を水道水に加え、溶解させた。溶解した凝集剤を含有する計量された分量の水道水を、ベントナイト粘土の懸濁液を含有する実験室で調製した水泳プール水に加えた。図７に示すように、キトサン凝集剤処理サンプルにおけるフロキュールの形成が観察された（図７における右側のボトル）。非処理対照は懸濁ベントナイト粒子の凝集を示さなかった（図７における左側のボトル）。
【０１６７】
ポリマー凝集剤を格納する溶解したパウチ／ポッドの凝集活性
計量された分量の自由流動性固体顆粒状乳酸キトサンを格納する密封された水溶性パウチ／ポッドを、ベントナイト粘土の懸濁液を含有する実験室で調製した塩素処理水泳プール水に加え、溶解させた。図８Ａ、８Ｂ、８Ｃ、および８Ｄに示すように、固体顆粒状乳酸キトサンを格納する溶解したポッドにより微細な懸濁液を凝集させた。図８Ａはベントナイト粘土の懸濁液を含有するプール水のサンプルを示している。図８Ｂはベントナイト粘土懸濁液に加えられる水溶性パウチに格納された乳酸キトサンを示している。図８Ｃはフロキュールの形成を示している。図８Ｄは沈殿した凝集固体を含有する透明化された水を示している。
【０１６８】
複合体のホスフェート除去
酢酸ジルコニウム、酢酸キトサン、および酵素ペプシンの溶液を混合することによって調製された計量された分量の乾燥複合体を格納する密封された水溶性パウチを、ＵＳＥＰＡおよび廃水についてのＳｔａｎｄａｒｄ  Ｍｅｔｈｏｄ  ４５００−Ｐ−Ｅと等価な標準的手順を用いてホスフェート除去活性について試験した。計量された分量のオルトホスフェートを、水道水に加えた。初期のオルトホスフェート濃度を、Ｗｈａｔｍａｎ  Ａｕｔｏｖｉａｌ  ０．４５μｍガラスマイクロファイバーフィルターによってオルトホスフェートを含有する水道水のサンプルをろ過することで測定し、そしてろ過された水の中のオルトホスフェートの量をＵＳＥＰＡ  ＰｈｏｓＶｅｒ３（アスコルビン酸）方法（ＨＡＣＨ  ８０４８）に従い、ＨＡＣＨ  ２８００分光光度計、プログラム＃４９０を用いて測定した。乾燥複合体を格納する水溶性ポッドを、オルトホスフェートを含有する水道水に加え、溶解させた。所定の時間の混合の後、オルトホスフェートおよび複合体を格納する溶解したパウチを含有する水道水中のオルトホスフェートの濃度を、初期のオルトホスフェート濃度を測定するために用いられたのと同一の方法に従って測定した。溶解した複合体によって除去されたホスフェートを、３回の平均として表２に報告する。
【表２】
0006433076.tif 000003
【０１６９】
溶解したパウチ／ポッド複合体の凝集活性
下記に示すように、酢酸ジルコニウム、酢酸キトサン、および酵素ペプシンの溶液を混合することによって調製された計量された分量の乾燥複合体を格納する密封された水溶性パウチ／ポッドを凝集活性について試験した。ポッドを、ローションの懸濁液を含有する実験室で調製した水泳プール水に加え、溶解させた。図９Ａ、９Ｂ、および９Ｃに示すように、混合の後に保湿スキンコンディショナーローションの複合体処理された懸濁液がフロキュールを形成することが観察された。図９Ａはローションの懸濁液を含有する実験室で調製した水泳プール水の濁った懸濁液を示している。図９Ｂはローション懸濁液に加えられる乾燥複合体を格納する水溶性ポッドを示している。図９Ｃはフロキュールの形成を示している。
【０１７０】
例示的な実施態様が例証および説明されたところ、本発明の意図および範囲から乖離することなく多様な変更を行うことが可能であるということが理解される。
【０１７１】
排他的所有権または独占権が主張される本発明の実施態様は以下の通りに定義される：
【図１】
0006433076.tif 000004
【図２】
0006433076.tif 000005
【図３】
0006433076.tif 000006
【図４】
0006433076.tif 000007
【図５Ａ】
0006433076.tif 000008
【図５Ｂ】
0006433076.tif 000009
【図５Ｃ】
0006433076.tif 000010
【図５Ｄ】
0006433076.tif 000011
【図５Ｅ】
0006433076.tif 000012
【図５Ｆ】
0006433076.tif 000013
【図６】
0006433076.tif 000014
【図７】
0006433076.tif 000015
【図８Ａ】
0006433076.tif 000016
【図８Ｂ】
0006433076.tif 000017
【図８Ｃ】
0006433076.tif 000018
【図８Ｄ】
0006433076.tif 000019
【図９Ａ】
0006433076.tif 000020
【図９Ｂ】
0006433076.tif 000021
【図９Ｃ】
0006433076.tif 000022